(57)【要約】  近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができる送信装置。この装置では、記憶部（１３０）は、通信相手へ送信するコンテンツデータを、重要度、プライオリティ、又は、必ず転送したいデータか否かに応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類して格納し、送信データ転送部（１４１）は、通信開始から、前記第２のコンテンツデータ、前記第１のコンテンツデータの順に送信部（１５０）に転送する。
2009016731.tif 000002
【特許請求の範囲】
【請求項１】
移動中の通信相手と近距離無線通信を行う送信装置であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、
コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、
前記転送手段から転送される前記コンテンツデータを送信する送信手段と、
を具備する送信装置。
【請求項２】
前記転送手段は、前記第１のコンテンツデータとしてインデックスを転送し、前記第２のコンテンツデータとしてインデックスによって示されるデータを転送する
請求項１に記載の送信装置。
【請求項３】
前記転送手段は、前記第１のコンテンツデータとして本編を転送し、前記第２のコンテンツデータとして予告編を転送する
請求項１に記載の送信装置。
【請求項４】
伝搬環境を取得する取得手段、をさらに具備し、
前記転送手段は、伝搬環境及と所定の基準値との比較結果に応じて、前記第１、第２又は第３の転送期間の長さを調整する
請求項１に記載の送信装置。
【請求項５】
前記転送手段は、伝搬環境が所定値未満で、かつ、伝搬環境が良化傾向の場合、前記第２のコンテンツデータを優先的に転送する
請求項４に記載の送信装置。
【請求項６】
前記転送手段は、伝搬環境が所定値以上、又は、伝搬環境が悪化傾向の場合、前記第１のコンテンツデータを優先的に転送する
請求項４に記載の送信装置。
【請求項７】
移動中の通信相手と近距離無線通信を行う送信装置であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、
通信確立時点に近い方から、前記第２のコンテンツデータ、前記第１のコンテンツデータの順に転送する転送手段と、
前記転送手段から転送される前記コンテンツデータを送信する送信手段と、
を具備する送信装置。
【請求項８】
移動中の通信相手と近距離無線通信を行う送信方法であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類ステップと、
コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送ステップと、
前記転送ステップから転送される前記コンテンツデータを送信する送信ステップと、
を有する送信方法。
【請求項９】
移動中の通信相手と近距離無線通信を行う送信方法であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類ステップと、
通信確立時点に近い方から、前記第２のコンテンツデータ、前記第１のコンテンツデータの順に転送する転送ステップと、
前記転送ステップから転送される前記コンテンツデータを送信する送信ステップと、
を有する送信方法。
【発明の詳細な説明】
【技術分野】
【０００１】
本発明は、送信装置及び送信方法に関し、例えば、非接触自動改札機や非接触ゲート装置などを備える近距離無線通信システムに適用される送信装置及び送信方法に関する。
【背景技術】
【０００２】
携帯端末へコンテンツをダウンロードするための通信手段としては、ワイヤレスＬＡＮ（Local Area Network）などのネットワークを使ってサーバにアクセスする方法がある。また、近年では、赤外線通信やＢｌｕｅｔｏｏｔｈ、ＵＷＢ（Ultra Wide Band）といった近距離無線通信技術を使ってＫＩＯＳＫ端末などのコンテンツダウンロード装置へ直接端末をかざしてダウンロードすることも可能である。特にＵＷＢではギガｂｐｓでのダウンロードが可能であり、音楽ＣＤや映画といった数１００メガ〜数ギガバイトのコンテンツを瞬時にダウンロードできる。【０００３】
そのため、例えば駅の改札の通過時に非接触カードの通信と同時にコンテンツもダウンロードするといった新しいコンテンツ配信（Ｔｏｕｃｈ＆Ｍｏｖｅダウンロード）方法が可能となる。【０００４】
ところで、Ｔｏｕｃｈ＆Ｍｏｖｅ通信において、ＵＷＢ等の高速な近距離通信手段を使った場合、１回の通信の中（接続期間中）で伝搬環境（受信性能）が頻繁に変化するという特徴がある。特に通信開始直後は、伝搬環境が悪く、重要なデータを確実に受信できないおそれがある。以下、図１を用いて補足説明をする。【０００５】
図１は、Ｔｏｕｃｈ＆Ｍｏｖｅ通信の伝搬環境の変化を説明するための図である。図１Ａは、Ｔｏｕｃｈ＆Ｍｏｖｅ通信システムのアクセスポイント１０に対する端末装置２０の移動方向を地面に対し垂直面上で示した図であり、合わせて各エリアでの伝搬環境の状態を示している。図１Ｂは、図１Ａで示した伝搬環境の状態を地面に対し水平面上で示した図である。なお、図１は、アクセスポイント１０の中央部にアンテナ部が設けられている場合の伝搬環境の状態を示している。【０００６】
図１Ａ及び図１Ｂにおいて、三角記号が付されたエリアは、伝搬環境が所定の基準を満たしていないエリアを示し、丸記号が付されたエリアは、伝搬環境が所定の基準を満たしているエリアを示し、二重丸記号が付されたエリアは、伝搬環境が所定の基準を満たした上でさらに良好なエリアを示している。図１Ａ及び図１Ｂから分かるように、伝搬環境は、アクセスポイント１０のアンテナ部から離れるほど劣化し、アンテナ部に近いほど良好となる。このように、Ｔｏｕｃｈ＆Ｍｏｖｅ通信では、端末装置２０は、伝搬環境が変動する中、短い通信時間（接続期間）内にデータ受信を完了させなければならない。【０００７】
変動する伝搬環境に対応する方法としては、伝搬環境に応じて通信レートや通信方法を変更するＨＳＤＰＡ（High Speed Downlink Packet Access）やＭｅｄｉａＦＬＯ（Forward Link Only）等の方法がある。しかし、Ｔｏｕｃｈ＆Ｍｏｖｅ通信のように通信可能時間（接続期間）が極めて短い通信では、接続期間中に通信レートや通信方式を変更する方法は向いていない。そのため、Ｔｏｕｃｈ＆Ｍｏｖｅ通信では、送信部は固定の変調方式しか備えず伝送レートを変えられないシステムを想定している。【０００８】
また、特許文献１には、電界強度に応じて送信電力を制御し、通信距離を拡大させる技術が開示されている。
【特許文献１】特開２００２−１７００８２号公報
【発明の開示】
【発明が解決しようとする課題】
【０００９】
しかしながら、Ｔｏｕｃｈ＆Ｍｏｖｅ通信では、送受信を行うエリアが極めて限られているので、上記の方法のように送信電力を制御するだけでは、単純に通信距離を拡大することが難しい。【００１０】
また、ＡＣＫ（ACKnowledgment）、ＮＡＣＫ（Negative ACKnowledgment）等を用いて受信できなかったデータを再送する再送フロー制御では、接続期間が短いため非効率であり、最終的に全データを送りきれない場合がある。【００１１】
本発明はかかる点に鑑みてなされたものであり、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができる送信装置及び送信方法を提供することを目的とする。
【課題を解決するための手段】
【００１２】
本発明に係る送信装置は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、前記転送手段から転送される前記コンテンツデータを送信する送信手段と、を具備する構成を採る。【００１３】
この構成によれば、送信装置が非接触自動改札機や非接触ゲート装置に設けられ、通信相手と送信装置との伝搬環境が、通信開始直後に最も悪く、通信相手の移動に伴い徐々に良くなり、通信相手が送信装置から遠ざかっていくに伴い再び徐々に悪化していくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。
【発明の効果】
【００１４】
本発明によれば、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができる。
【図面の簡単な説明】
【００１５】
【図１】Ｔｏｕｃｈ＆Ｍｏｖｅ通信の伝搬環境の変化を説明するための図
【図２】本発明の実施の形態に係る通信システムの構成の一例を示す図
【図３】本発明の実施の形態１に係るアクセスポイントの要部構成を示すブロック図
【図４】実施の形態１に係る端末装置の要部構成を示すブロック図
【図５】実施の形態１に係るＴｏｕｃｈ＆Ｍｏｖｅ通信の伝搬環境及び通信システム状態の変化を示す図
【図６】実施の形態１に係るコンテンツデータの分類の一例を示す図
【図７】実施の形態１に係る通信システムの状態の遷移とコンテンツデータとの対応関係を示す図
【図８】実施の形態１に係る送信データ転送部における送信データ転送処理を示すフローチャート図
【図９】実施の形態１に係るコンテンツデータの分類例を示す図
【図１０】本発明の実施の形態２に係るアクセスポイントの要部構成を示すブロック図
【図１１】実施の形態２に係る端末装置の要部構成を示すブロック図
【図１２】実施の形態２に係る送信データ転送部における送信データ転送処理を示すフローチャート図
【図１３】受信電界強度ＲＳＳＩ及びＲＳＳＩの変化方向と、コンテンツデータの送信順との対応関係を示す図
【発明を実施するための最良の形態】
【００１６】
図２は、本発明の実施の形態に係る通信システムの構成の一例を示す図である。通信システムは、アクセスポイント１００と、端末装置２００とを備えて構成される。端末装置２００は、例えば音声再生機能や画像再生機能などを備えた携帯電話及びＰＤＡ等の利用者が携帯して使用する装置である。アクセスポイント１００は、例えば電車、地下鉄等の公共交通機関に設けられた非接触自動改札機や、博物館及びアミューズメント施設等に設けられた非接触ゲート装置に備えられるものである。アクセスポイント１００は、近距離無線通信を用いて、音楽や映画などのコンテンツを、アクセスポイント１００を通過移動する端末装置２００にダウンロードさせる。【００１７】
なお、本実施の形態では、図２に示すように、端末装置２００が、水平面上でアクセスポイント１００の一端から他端へ一次元的に移動しながら、Ｔｏｕｃｈ＆Ｍｏｖｅ通信により、アクセスポイント１００と近距離無線通信を行う場合を想定する。【００１８】
アクセスポイント１００が設けられる非接触自動改札機や非接触ゲート装置では、図２に示すように、非接触自動改札機や非接触ゲート装置を同一方向に所定間隔で並列に配置することにより、端末装置２００の水平面上での移動方向に上記のような制限を設けることが可能となる。【００１９】
（実施の形態１）
図３は、本実施の形態１に係るアクセスポイント１００の要部構成を示すブロック図である。図３のアクセスポイント１００は、受信アンテナ１１０、受信部１２０、記憶部１３０、制御部１４０、送信部１５０、及び送信アンテナ１６０を備えて構成される。【００２０】
受信部１２０は、受信アンテナ１１０を介して、端末装置２００から送信される信号を受信し、得られた受信データを制御部１４０に出力する。【００２１】
記憶部１３０は、端末装置２００に転送するためのコンテンツデータを格納する。【００２２】
制御部１４０は、受信部１２０及び送信部１５０に対し送受信制御を行う。また、制御部１４０は、データ分類部１４２及び送信データ転送部１４１を備える。【００２３】
データ分類部１４２は、コンテンツデータの重要度、プライオリティ、又は、必ず転送したいデータか否か等に応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類して、記憶部１３０に格納する。つまり、データ分類部１４２は、端末装置２００に転送するためのコンテンツデータを、必ず転送したい第１のコンテンツデータと、第１のコンテンツデータよりも転送の失敗が許される第２のコンテンツデータとに分類する。なお、コンテンツデータの分類の方法については、後述する。【００２４】
送信データ転送部１４１は、分類されたコンテンツデータを選択して、送信部１５０に転送する。具体的には、送信データ転送部１４１は、通信確立時点に近い方から、第２のコンテンツデータ、第１のコンテンツデータ、第２のコンテンツデータの順に転送する。送信データ転送処理については、後述する。【００２５】
送信部１５０は、送信データ転送部１４１によって選択された送信データに対し、無線送信処理（変調、アップコンバート等）を施し、送信アンテナ１６０を介して、得られた送信データ信号を端末装置２００に送信する。【００２６】
図４は、本実施の形態１に係る端末装置２００の要部構成を示すブロック図である。図４の端末装置２００は、受信アンテナ２１０、受信部２２０、制御部２３０、記憶部２４０、ユーザインターフェース部２５０、送信部２６０、及び送信アンテナ２７０を備えて構成される。【００２７】
受信部２２０は、受信アンテナ２１０を介してアクセスポイント１００から送信されるデータ信号を受信し、受信データを取得し、得られた受信データを制御部２３０に出力する。【００２８】
制御部２３０は、コンテンツデータなどの受信データを記憶部２４０に出力する。記憶部２４０は、受信データを保持する。【００２９】
ユーザインターフェース部２５０は、表示部２５１、操作部２５２、又は音声出力部２５３等のユーザインターフェース機能部を備える。【００３０】
送信部２６０は、送信アンテナ２７０を介して伝搬環境測定用信号等の信号をアクセスポイント１００に送信する。【００３１】
以下、上述のように構成されたアクセスポイント１００及び端末装置２００の動作について説明する。【００３２】
（全体動作）
本実施の形態では、図２に示すように、アクセスポイント１００が、非接触自動改札機や非接触ゲート装置に設けられ、端末装置２００が、水平面上でアクセスポイント１００の一端から他端へ移動する間に、アクセスポイント１００から端末装置２００にコンテンツデータ等のデータが送信される場合を想定している。【００３３】
アクセスポイント１００は、常時、ビーコン信号を送信する。端末装置２００は、アクセスポイント１００に接近してビーコン信号を受信すると、同期検出を行う。同期検出により、同期が確立されると、アクセスポイント１００と端末装置２００とは相互に情報交換を行い、１対１通信の確立（リンク確立）を試みる。リンクが確立されると、アクセスポイント１００は、端末装置２００へのコンテンツデータの転送を開始する。データ転送が終了すると、アクセスポイント１００は、端末装置２００とのリンクを切断する。【００３４】
（送信データ転送処理）
次に、アクセスポイント１００の送信データ転送部１４１の送信データ転送処理について図面を参照しながら説明する。【００３５】
図５は、図１と同様に、アクセスポイント１００の中央部に送信アンテナ１６０が設けられている場合の伝搬環境の状態を示している。図５Ａは、アクセスポイント１００に対する端末装置２００の垂直面上の移動方向と、各エリアでの伝搬環境の状態を示している。図５Ｂは、図５Ａで示した伝搬環境の状態を移動方向上に示した図である。また、図５Ｃは、通信システムの状態の遷移を示す図である。図５Ｃに示すように、本実施の形態に係る通信システムは、同期検出後、リンクを確立し、データ転送を行い、リンクを切断する。【００３６】
図５から分かるように、本実施の形態に係る通信システムでは、アクセスポイント１００から端末装置２００にデータが転送される間、伝搬環境は一定ではなく、伝搬環境は、アクセスポイント１００の送信アンテナ１６０から離れるほど悪く、送信アンテナ１６０に接近するほど良好となる。したがって、伝搬環境は、通信開始直後が最も悪く、以後、徐々に良くなり、再び徐々に劣化する。【００３７】
本実施の形態では、伝搬環境が上述のように変化することを前提に、送信データ転送部１４１は、送信データを送信部１５０に転送する。以下、図６を用いて送信データ転送順序について説明する。【００３８】
記憶部１３０には、端末装置２００に転送したいコンテンツデータが、コンテンツデータの重要度、プライオリティ、又は、必ず転送したいデータか否か等に応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類して格納されている。【００３９】
図６は、コンテンツデータの分類の一例を示している。図６は、Ｉｎｄｅｘ、動画、テキストが、高プライオリティの第１のコンテンツデータとして分類され、静止画、音楽、音声が、低プライオリティの第２のコンテンツデータとして分類されている例である。【００４０】
送信データ転送部１４１は、通信開始から、第２のコンテンツデータ、第１のコンテンツデータ、第２のコンテンツデータの順に、コンテンツデータを選択する。例えば、図６に示す例では、送信データ転送部１４１は、第２のコンテンツデータとして静止画を選択し、第１のコンテンツデータとしてＩＮＤＥＸ、動画、及びテキストを選択し、第２のコンテンツデータとして音楽及び音声を選択する。【００４１】
このようにすることで、伝搬環境が良いところで、高重要度、高プライオリティ、又は高必要度の第１のコンテンツデータが送信されるようになり、伝搬環境が悪いところで、当該第１のコンテンツデータよりも転送の失敗が許容される低重要度、低プライオリティ、又は低必要度の第２のコンテンツデータが送信されるようになる。これにより、端末装置２００が、確実に転送したいデータを正しく受信することができる割合が高くなり、ユーザ満足度の低下を抑圧することができる。【００４２】
送信データ選択順序について、図７及び図８を用いて補足説明をする。図７Ａは、横軸を時間とした場合の通信システムの状態の遷移を示す図である。図７Ａに示すように、本実施の形態に係る通信システムは、同期検出後、リンクを確立し、データ転送を行い、リンクを切断する。また、図７Ａにおいて、Ｐは、アクセスポイント１００が端末装置２００へデータ転送可能なデータ転送時間の上限値（コンテンツ転送期間）を示している。また、同図において、Ｐ１は、伝搬環境が良好になるまでのデータ転送時間（安定待ち送信期間）を示し、Ｐ２は、伝搬環境が比較的良好なデータ転送時間（安定送信期間）を示す。また、Ｐ３は、コンテンツ転送期間Ｐのうち、安定待ち送信期間Ｐ１又は安定送信期間Ｐ２以外の期間を示す。【００４３】
送信データ転送部１４１は、図７に示すように、コンテンツ転送期間Ｐを、通信確立時点に近い方から順に第１、第２及び第３の転送期間、すなわち、Ｐ１、Ｐ２及びＰ３に分ける。【００４４】
図８は、送信データ転送部１４１における送信データ転送処理を示すフローチャートである。図中、ＳＴはフローの各ステップを示す。【００４５】
ＳＴ１０１で、記憶部１３０に格納されるコンテンツデータの全データ転送時間ａが算出され、ＳＴ１０２で、全データ転送時間ａとコンテンツ転送期間Ｐとが比較され、ａ＞Ｐの場合、通信期間内において全コンテンツデータを送信できないとして、送信データ転送部１４１はエラー終了する（ＳＴ１０３）。一方、ａ≦Ｐの場合、高重要度、高プライオリティ、又は高必要度の第１のコンテンツデータのデータ転送時間ｂが算出される（ＳＴ１０４）。【００４６】
次に、ＳＴ１０５で、第１のコンテンツデータのデータ転送時間ｂと安定送信期間Ｐ２とが比較され、ｂ＞Ｐ２の場合、安定送信期間Ｐ２に対し、第１のコンテンツデータのデータ率が大きいという旨の警告が出される（ＳＴ１０６）。次に、安定待ち送信期間Ｐ１では、Ｐ１に転送しきれるような第２のコンテンツデータ、又は第２のコンテンツデータの組み合わせが選択される（ＳＴ１０７）。【００４７】
ＳＴ１０７で、安定待ち送信期間Ｐ１に第２のコンテンツデータが配置されると、ＳＴ１０８及びＳＴ１０９で、全ての第１のコンテンツデータが選択される。これにより、安定送信期間Ｐ２で、端末装置２００に第１のコンテンツデータが転送されるようになる。【００４８】
第１のコンテンツデータが全て転送されると、ＳＴ１１０及びＳＴ１１１で、残りの第２のコンテンツデータが選択される。これにより、高重要度、高プライオリティ、又は、高必要度の第１のコンテンツデータは、安定送信期間Ｐ２で送信され、それ以降の安定送信期間Ｐ２又はコンテンツデータ転送期間Ｐにおいて、低重要度、低プライオリティ、又は、低必要度の第２のコンテンツデータが送信されることになる。【００４９】
図７Ｂに、第１、第２及び第３の転送期間Ｐ１、Ｐ２及びＰ３に転送されるコンテンツデータの配置例を示す。【００５０】
以上のように、本実施の形態では、端末装置２００へ送信するコンテンツデータは、重要度、プライオリティに応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類され、送信データ転送部１４１は、コンテンツ転送期間Ｐを、通信確立時点に近い方から順に第１、第２及び第３の転送期間（Ｐ１、Ｐ２、Ｐ３）に分け、第１の転送期間Ｐ１では、第２のコンテンツデータを転送し、第２の転送期間Ｐ２では、第１のコンテンツデータから優先的に転送し、第３の転送期間Ｐ３では、第１および第２の転送期間Ｐ１およびＰ２で転送しきれなかったコンテンツデータを転送するようにした。【００５１】
これにより、コンテンツ転送期間を、伝搬環境が普通の安定待ち送信期間と、伝搬環境が良好な安定送信期間と、コンテンツ転送期間のうち、安定待ち送信期間又は安定送信期間以外の期間との３つの転送期間に分けた場合、伝搬環境が普通の第１の転送期間及び第３の転送期間では、低重要度、低プライオリティ、又は低必要度の第２のコンテンツデータが送信され、伝搬環境が良好な第２の転送期間では、当該第２のコンテンツデータよりも転送の失敗が許容されない高重要度、高プライオリティ、又は高必要度の第１のコンテンツデータが送信されるようになるので、必ず転送したい第１のコンテンツデータが端末装置２００で正しく受信される割合が高くなる。この結果、端末装置２００が、記憶部１３０に格納される全てのコンテンツデータを正しく受信できないような場合においても、端末装置２００を利用するユーザの満足度の低下を回避しやすくすることができる。【００５２】
なお、以下にコンテンツデータの分類例について補足説明する。【００５３】
（１）テキスト表示コンテンツ（図９Ａ，図９Ｂ参照）
テキスト表示コンテンツでは、テキスト情報やニュースのヘッドラインや要約は、高重要度、高プライオリティ、又は、高必要度の第１のコンテンツデータに分類され、図や装飾等の見栄えに関わる情報やニュースの詳細記事内容は、低重要度、低プライオリティ、又は、低必要度の第２のコンテンツデータに分類される。【００５４】
（２）楽曲コンテンツ（図９Ｃ参照）
楽曲コンテンツでは、インデックスや楽曲データについては、第１のコンテンツデータに分類され、解説などのテキストデータや画像データについては、第２のコンテンツデータに分類される。【００５５】
（３）画像コンテンツ
画像コンテンツでは、粗い画素数の全体像イメージについて、第１のコンテンツデータに分類され、画素数の多い鮮明な画像について、第２のコンテンツデータに分類される。【００５６】
なお、分類の仕方は、上述した分類の仕方に限られない。例えば、アクセスポイント１００が、博物館及びアミューズメント施設等の特別展示場に設けられた非接触ゲート装置に備えられる場合には、特別展示場の催しの詳細内容が、第１のコンテンツデータに分類されるようにしても良い。このように、分類方法は、アクセスポイント１００の設置場所や使用状況によって異なり、高重要度、高プライオリティ、又は高必要度の第１のコンテンツデータは、記憶部１３０に格納されたコンテンツデータのうち、失敗なく端末装置２００に確実に転送したい順位が高いデータを表す。【００５７】
なお、上述した説明では、コンテンツデータを、高重要度、高プライオリティ、又は高必要度の第１のコンテンツデータと、低重要度、低プライオリティ、又は低必要度の第２のコンテンツデータとの２つに分類する場合について説明したが、分類の段階は２段階に限られず、３つ以上の段階に詳細に分類するようにしてもよい。【００５８】
（実施の形態２）
図１０に本実施の形態２に係るアクセスポイントの要部構成を示す。なお、図１０の本実施の形態に係るアクセスポイントにおいて、図３と共通する構成部分には、図３と同一の符号を付して説明を省略する。図１０のアクセスポイント３００は、図３のアクセスポイント１００に対して、制御部１４０に代えて、制御部３１０を備えて構成される。【００５９】
制御部３１０は、データ分類部１４２、通信状態判定部３１１及び送信データ転送部３１２を備える。通信状態判定部３１１は、後述の端末装置４００から送信される伝搬環境測定用信号の受信電界強度（ＲＳＳＩ：Received Signal Strength Indicator）及び受信電界強度の変化方向を測定し、通信状態を判定する。【００６０】
送信データ転送部３１２は、通信状態判定部３１１によって判定された受信電界強度と所定の安定基準値との比較結果に応じて、上述した第１、第２又は第３の転送期間（Ｐ１，Ｐ２，Ｐ３）を適宜判別する。さらに、送信データ転送部３１２は、受信電界強度が所定の安定基準値に満たさない場合において、受信電界強度が良化する傾向にあれば、第２のコンテンツデータを優先的に選択して、送信部１５０に転送する。また、送信データ転送部３１２は、受信電界強度が所定の安定基準値を満たす場合には、第１のコンテンツデータを優先的に選択して送信部１５０に出力する。さらに、送信データ転送部３１２は、受信電界強度が所定の安定基準値に満たさない場合において、受信電界強度が悪化する傾向にあれば、未送信の第１のコンテンツデータを優先的に選択して送信部１５０に転送する。【００６１】
上述したように、本実施の形態が適用される通信システムの伝搬環境は、通信開始直後が最も悪く、端末装置４００が送信アンテナ１６０に接近するのに伴い徐々に良くなっていく。したがって、伝搬環境が所定の安定基準値に満たさない場合に、伝搬環境が良くなっていく傾向にあれば、現時点の伝搬環境に比べ、以降の伝搬環境の方がより良くなるであろうと推定できる。そこで、本実施の形態では、送信データ転送部３１２は、伝搬環境が所定の安定基準値に満たさない場合において、伝搬環境が良化する傾向にあれば、第１の転送期間Ｐ１であるとして、低重要度、低プライオリティ、又は低必要度の第２のコンテンツデータを選択して、送信部１５０に転送するようにした。これにより、安定待ち送信期間が変動するような場合においても、当該安定待ち送信期間を第１の転送期間Ｐ１として、当該期間では、必ず転送したい第１のコンテンツデータができるだけ送信されないようにし、伝搬環境が良好な期間で、第１のコンテンツデータが送信されるようにすることができるので、必ず転送したいデータが端末装置４００へより確実に伝達される割合が高くなる。【００６２】
また、伝搬環境が所定の安定基準値に満たさない場合において、伝搬環境が悪くなっていく傾向にあれば、現時点の伝搬環境の方が以降の伝搬環境よりも良いであろうと推定できる。そこで、本実施の形態では、送信データ転送部３１２は、伝搬環境が所定の安定基準値に満たさない場合において、伝搬環境が悪化する傾向にあれば、第３の転送期間Ｐ３であるとして、未送信の高重要度、高プライオリティ、又は高必要度の第１のコンテンツデータを優先的に選択して、送信部１５０に転送するようにした。これにより、安定送信期間内に必ず転送したい第１のコンテンツデータを転送しきれないような場合においても、伝搬環境がさらに劣化する前に、優先的に第１のコンテンツデータが送信されるようになるので、必ず転送したいデータが端末装置４００へより確実に伝達される割合が高くなる。【００６３】
なお、送信データ転送部３１２は、伝搬環境が所定の安定基準値を満たす場合には、第２の転送期間Ｐ２であるとして高重要度、高プライオリティ、又は高必要度の第１のコンテンツデータを優先的に選択して、送信部１５０に転送する。【００６４】
このように、送信データ転送部３１２は、受信電界強度が所定の安定基準値未満で、かつ、受信電界強度が良化傾向の場合、第１の転送期間Ｐ１であるとして、第２のコンテンツデータを転送する。また、送信データ転送部３１２は、受信電界強度が所定の安定基準以上の場合、第２の転送期間であるとして、第１のコンテンツデータを転送する。さらに、送信データ転送部３１２は、受信電界強度が所定の安定基準値未満で、かつ、受信電界強度が悪化傾向の場合、未送信の第１のコンテンツデータがあれば、第３の転送期間Ｐ３であるとして、未送信の第１のコンテンツデータを転送する。【００６５】
図１１に、本実施の形態に係る端末装置の要部構成を示す。なお、図１１の本実施の形態に係るアクセスポイントにおいて、図４と共通する構成部分には、図４と同一の符号を付して説明を省略する。図１１の端末装置４００は、図４の端末装置２００に対して、制御部２３０に代えて、制御部４１０を備えて構成される。【００６６】
制御部４１０は、コンテンツデータなどの受信データを記憶部２４０に出力する。また、制御部４１０は、伝搬環境測定用信号送出部４１１を備え、伝搬環境測定用信号送出部４１１は、伝搬環境測定用信号を生成し、送信部２６０に出力する。【００６７】
以下、上述のように構成されたアクセスポイント３００及び端末装置４００の動作について、主にアクセスポイント３００の送信データ転送部３１２の送信データ転送処理を中心に説明する。【００６８】
（送信データ転送処理）
図１２は、送信データ転送部３１２における送信データ転送処理を示すフローチャートである。図中、ＳＴはフローの各ステップを示す。【００６９】
ＳＴ２０１で、通信状態判定部３１１によって測定された受信電界強度ＲＳＳＩが、所定の安定基準値を満たすか否かが判定され、ＲＳＳＩが所定の安定基準値以上の場合、ＳＴ２０２に移り、ＲＳＳＩが所定の安定基準値未満の場合、ＳＴ２０５に移る。【００７０】
ＳＴ２０２では、未送信の第１のコンテンツデータの有無が判定され、未送信の第１のコンテンツデータが有る場合、第１のコンテンツデータが選択される（ＳＴ２０３）。一方、未送信の第１のコンテンツデータが無い場合、第２のコンテンツデータが選択される（ＳＴ２０４）。【００７１】
ＳＴ２０１で、ＲＳＳＩが所定の安定基準値未満の場合、ＳＴ２０５で、ＲＳＳＩの変化傾向が増加傾向又は減少傾向のどちらであるかが判定され、増加傾向の場合、ＳＴ２０６に移り、減少傾向の場合、ＳＴ２０２に移る。【００７２】
ＳＴ２０６では、未送信の第２のコンテンツデータの有無が判定され、未送信の第２のコンテンツデータが有る場合、第２のコンテンツデータが選択される（ＳＴ２０７）。一方、未送信の第２のコンテンツデータが無い場合、第１のコンテンツデータが選択される（ＳＴ２０８）。【００７３】
ＳＴ２０３，ＳＴ２０４，ＳＴ２０７，ＳＴ２０８で選択されたコンテンツデータが送信されると（ＳＴ２０９）、ＳＴ２１０で送信完了か否か判定される。送信完了の場合、ＳＴ２１１で未送信コンテンツデータの有無が判定され、未送信コンテンツデータが有ればＳＴ２０１に戻り、ＳＴ２０２〜ＳＴ２１１までのステップが未送信コンテンツデータが無くなるまで繰り返される。【００７４】
図１３は、受信電界強度ＲＳＳＩ及びＲＳＳＩの変化方向と、コンテンツデータの送信順との対応関係を示す図である。【００７５】
ＲＳＳＩが所定の安定基準値未満で、かつ、ＲＳＳＩの変化方向が増加傾向の場合、送信データ転送部３１２は、低重要度、低プライオリティ、又は低必要度の第２のコンテンツデータを優先的に選択するため、データは、第２のコンテンツデータ、第１のコンテンツデータの順に送信される（状態１）。【００７６】
一方、ＲＳＳＩが所定の安定基準値以上で、かつ、ＲＳＳＩの変化方向が増加傾向の場合、送信データ転送部３１２は、高重要度、高プライオリティ、又は高必要度の第１のコンテンツデータを優先的に選択するため、データは、第１のコンテンツデータ、第２のコンテンツデータの順に送信される（状態２）。【００７７】
ＲＳＳＩが所定の安定基準値以上で、かつ、ＲＳＳＩの変化方向が減少傾向の場合、又は、ＲＳＳＩが所定の安定基準値未満で、かつ、ＲＳＳＩの変化方向が減少傾向の場合も、状態２と同様に、送信データ転送部３１２は、高重要度、高プライオリティ、又は高必要度の第１のコンテンツデータを優先的に選択するため、データは、第１のコンテンツデータ、第２のコンテンツデータの順に送信される（状態３、状態４）。【００７８】
以上のように、本実施の形態では、アクセスポイント３００は、端末装置４００から送信される伝搬環境測定用信号を受信して、伝搬環境を取得する通信状態判定部３１１を備え、送信データ転送部３１２は、通信状態判定部３１１によって取得された受信電界強度と所定の安定基準値との比較結果に応じて、前記第１、第２又は第３の転送期間を判別するようにした。これにより、端末装置４００の移動速度が変動する場合においても、コンテンツ転送期間Ｐを、安定待ち送信期間と、安定送信期間と、それ以外の期間とに分けることができる。【００７９】
また、伝搬環境が所定値未満で、かつ、伝搬環境が良化傾向の場合、低重要度、低プライオリティ、又は低必要度の第２のコンテンツデータが優先的に選択されるようにすると、端末装置４００の移動速度が変動し、安定待ち送信期間が変動する場合においても、当該安定待ち送信期間を第１の転送期間Ｐ１として、当該期間では、必ず転送したい第１のコンテンツデータができるだけ送信されないようにし、伝搬環境が良好な期間で、第１のコンテンツデータが送信されるようにすることができるので、必ず転送したいデータが端末装置４００へより確実に伝達される割合を高くすることができる。【００８０】
また、伝搬環境が所定値以上の場合、又は、伝搬環境が悪化傾向の場合、送信データ転送部１４１が、第１のコンテンツデータを優先的に選択するようにすると、安定送信期間内に必ず転送したい第１のコンテンツデータを転送しきれないような場合においても、伝搬環境がさらに劣化する前に、優先的に第１のコンテンツデータが送信されるようになるので、端末装置４００に必ず転送したい第１のコンテンツデータを確実に転送することができる割合を高くすることができる。【００８１】
また、同一段階に分類されたコンテンツデータが複数ある場合には、送信データ転送部１４１は、各コンテンツデータのデータサイズに基づいて、コンテンツデータを選択し、送信部１５０に転送するようにしてもよい。例えば、伝搬環境が悪化傾向にある場合、データサイズが小さいコンテンツデータを選択・転送するようにすることで、コンテンツデータ送信中にリンク接続が切れて発生するデータ転送エラーの影響をできるだけ回避することができる。反対に、伝搬環境が良化傾向にある場合は、データサイズが大きいコンテンツデータを選択・転送するようにすることで、データサイズが大きいコンテンツデータを伝搬環境が良い期間中に送信完了させることができる。【００８２】
また、低重要度、低プライオリティ、又は低必要度の第２のコンテンツデータに、高重要度、高プライオリティ、又は高必要度の第１のコンテンツデータの内容も含むようにして、冗長性を持たせるようにした場合には、伝搬環境が劣悪なままで、端末装置４００が、第２のコンテンツデータのみしか受信できないような場合においても、高重要度、高プライオリティ、又は高必要度の第１のコンテンツデータを取得することができる。【００８３】
本発明の送信装置の一つの態様は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、前記転送手段から転送される前記コンテンツデータを送信する送信手段と、を具備する構成を採る。【００８４】
この構成によれば、送信装置が非接触自動改札機や非接触ゲート装置に設けられ、通信相手と送信装置との伝搬環境が、通信開始直後に最も悪く、通信相手の移動に伴い徐々に良くなり、通信相手が送信装置から遠ざかっていくに伴い再び徐々に悪化していくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。【００８５】
本発明の送信装置の一つの態様は、前記転送手段は、前記第１のコンテンツデータとしてインデックスを転送し、前記第２のコンテンツデータとしてインデックスによって示されるデータを転送する構成を採る。【００８６】
この構成によれば、楽曲コンテンツのうち、必ず転送したいインデックスを、当該インデックスよりも転送の失敗が許されるデータに比べ良好な伝搬環境で送信することができるので、インデックスが正しく受信されやすくなる。【００８７】
本発明の送信装置の一つの態様は、前記転送手段は、前記第１のコンテンツデータとして本編を転送し、前記第２のコンテンツデータとして予告編を転送する構成を採る。【００８８】
この構成によれば、動画コンテンツのうち、必ず転送したい本編を、当該本編よりも転送の失敗が許される予告編に比べ良好な伝搬環境で送信することができるので、本編が正しく受信されやすくなる。【００８９】
本発明の送信装置の一つの態様は、伝搬環境を取得する取得手段、をさらに具備し、前記転送手段は、伝搬環境及と所定の基準値との比較結果に応じて、前記第１、第２又は第３の転送期間の長さを調整する構成を採る。【００９０】
この構成によれば、通信相手の移動速度が個々に変動し、伝搬環境の変化の仕方が個々に異なるような場合においても、伝搬環境が良好な期間に、高重要度、高プライオリティ、又は高必要度の第１のコンテンツデータを送信することができる。【００９１】
本発明の送信装置の一つの態様は、前記転送手段は、伝搬環境が所定値未満で、かつ、伝搬環境が良化傾向の場合、前記第２のコンテンツデータを優先的に転送する構成を採る。【００９２】
この構成によれば、通信相手の移動速度が個々に変動し、伝搬環境の変化が個々に異なるような場合においても、伝搬環境が良好となるまでは、高重要度、高プライオリティ、又は高必要度の第１のコンテンツデータでなく、低重要度、低プライオリティ、又は低必要度の第２のコンテンツデータが優先的に送信され、第１のコンテンツデータは、伝搬環境がより良い期間にできるだけ送信されるようになるので、必ず転送したい第１のコンテンツデータを確実に通信相手に転送することができる割合を向上させることができる。【００９３】
本発明の送信装置の一つの態様は、前記転送手段は、伝搬環境が所定値以上の場合、又は、伝搬環境が悪化傾向の場合、前記第１のコンテンツデータを優先的に転送する構成を採る。【００９４】
この構成によれば、通信相手の移動速度が個々に変動し、伝搬環境の変化が個々に異なるような場合においても、伝搬環境がさらに悪化する前に、高重要度、高プライオリティ、又は高必要度の第１のコンテンツデータが送信されるようになるので、必ず転送したい第１のコンテンツデータを確実に通信相手に転送することができる割合を向上させることができる。【００９５】
本発明の送信装置の一つの態様は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、通信確立時点に近い方から、前記第２のコンテンツデータ、前記第１のコンテンツデータの順に転送する転送手段と、前記転送手段から転送される前記コンテンツデータを送信する送信手段と、を具備する構成を採る。【００９６】
この構成によれば、送信装置が非接触自動改札機や非接触ゲート装置に設けられ、通信相手と送信装置との伝搬環境が、通信開始直後に最も悪く、通信相手の移動に伴い徐々に良くなっていくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。
【産業上の利用可能性】
【００９７】
本発明は、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができ、例えば、非接触自動改札機や非接触ゲート装置などを備える近距離無線通信システムに適用される送信装置及び送信方法などに有用である。
【図１】
2009016731.tif 000003
【図２】
2009016731.tif 000004
【図３】
2009016731.tif 000005
【図４】
2009016731.tif 000006
【図５】
2009016731.tif 000007
【図６】
2009016731.tif 000008
【図７】
2009016731.tif 000009
【図８】
2009016731.tif 000010
【図９】
2009016731.tif 000011
【図１０】
2009016731.tif 000012
【図１１】
2009016731.tif 000013
【図１２】
2009016731.tif 000014
【図１３】
2009016731.tif 000015
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
移動中の通信相手と近距離無線通信を行う送信装置であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、
コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、
前記転送手段から転送される前記コンテンツデータを送信する送信手段と、
を具備する送信装置。
【請求項２】
前記転送手段は、前記第１のコンテンツデータとしてインデックスを転送し、前記第２のコンテンツデータとしてインデックスによって示されるデータを転送する
請求項１に記載の送信装置。
【請求項３】
前記転送手段は、前記第１のコンテンツデータとして本編を転送し、前記第２のコンテンツデータとして予告編を転送する
請求項１に記載の送信装置。
【請求項４】
伝搬環境を取得する取得手段、をさらに具備し、
前記転送手段は、伝搬環境及と所定の基準値との比較結果に応じて、前記第１、第２又は第３の転送期間の長さを調整する
請求項１に記載の送信装置。
【請求項５】
前記転送手段は、伝搬環境が所定値未満で、かつ、伝搬環境が良化傾向の場合、前記第２のコンテンツデータを優先的に転送する
請求項４に記載の送信装置。
【請求項６】
前記転送手段は、伝搬環境が所定値以上、又は、伝搬環境が悪化傾向の場合、前記第１のコンテンツデータを優先的に転送する
請求項４に記載の送信装置。
【請求項７】
移動中の通信相手と近距離無線通信を行う送信装置であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、
通信確立時点に近い方から、前記第２のコンテンツデータ、前記第１のコンテンツデータの順に転送する転送手段と、
前記転送手段から転送される前記コンテンツデータを送信する送信手段と、
を具備する送信装置。
【請求項８】
移動中の通信相手と近距離無線通信を行う送信方法であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度
の第２のコンテンツデータとに分類する分類ステップと、
コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送ステップと、
前記転送ステップから転送される前記コンテンツデータを送信する送信ステップと、
を有する送信方法。
【請求項９】
移動中の通信相手と近距離無線通信を行う送信方法であって、
前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類ステップと、
通信確立時点に近い方から、前記第２のコンテンツデータ、前記第１のコンテンツデータの順に転送する転送ステップと、
前記転送ステップから転送される前記コンテンツデータを送信する送信ステップと、
を有する送信方法。
【手続補正２】
【補正対象書類名】明細書
【補正対象項目名】全文
【補正方法】変更
【補正の内容】
【発明の詳細な説明】
【技術分野】
【０００１】
本発明は、送信装置及び送信方法に関し、例えば、非接触自動改札機や非接触ゲート装置などを備える近距離無線通信システムに適用される送信装置及び送信方法に関する。
【背景技術】
【０００２】
携帯端末へコンテンツをダウンロードするための通信手段としては、ワイヤレスＬＡＮ（Local Area Network）などのネットワークを使ってサーバにアクセスする方法がある。また、近年では、赤外線通信やＢｌｕｅｔｏｏｔｈ、ＵＷＢ（Ultra Wide Band）といった近距離無線通信技術を使ってＫＩＯＳＫ端末などのコンテンツダウンロード装置へ直接端末をかざしてダウンロードすることも可能である。特にＵＷＢではギガｂｐｓでのダウンロードが可能であり、音楽ＣＤや映画といった数１００メガ〜数ギガバイトのコンテンツを瞬時にダウンロードできる。
【０００３】
そのため、例えば駅の改札の通過時に非接触カードの通信と同時にコンテンツもダウンロードするといった新しいコンテンツ配信（Ｔｏｕｃｈ＆Ｍｏｖｅダウンロード）方法が可能となる。
【０００４】
ところで、Ｔｏｕｃｈ＆Ｍｏｖｅ通信において、ＵＷＢ等の高速な近距離通信手段を使った場合、１回の通信の中（接続期間中）で伝搬環境（受信性能）が頻繁に変化するという特徴がある。特に通信開始直後は、伝搬環境が悪く、重要なデータを確実に受信できないおそれがある。以下、図１を用いて補足説明をする。
【０００５】
図１は、Ｔｏｕｃｈ＆Ｍｏｖｅ通信の伝搬環境の変化を説明するための図である。図１Ａは、Ｔｏｕｃｈ＆Ｍｏｖｅ通信システムのアクセスポイント１０に対する端末装置２０の移動方向を地面に対し垂直面上で示した図であり、合わせて各エリアでの伝搬環境の状態を示している。図１Ｂは、図１Ａで示した伝搬環境の状態を地面に対し水平面上で示した図である。なお、図１は、アクセスポイント１０の中央部にアンテナ部が設けられている場合の伝搬環境の状態を示している。
【０００６】
図１Ａ及び図１Ｂにおいて、三角記号が付されたエリアは、伝搬環境が所定の基準を満たしていないエリアを示し、丸記号が付されたエリアは、伝搬環境が所定の基準を満たしているエリアを示し、二重丸記号が付されたエリアは、伝搬環境が所定の基準を満たした上でさらに良好なエリアを示している。図１Ａ及び図１Ｂから分かるように、伝搬環境は、アクセスポイント１０のアンテナ部から離れるほど劣化し、アンテナ部に近いほど良好となる。このように、Ｔｏｕｃｈ＆Ｍｏｖｅ通信では、端末装置２０は、伝搬環境が変動する中、短い通信時間（接続期間）内にデータ受信を完了させなければならない。
【０００７】
変動する伝搬環境に対応する方法としては、伝搬環境に応じて通信レートや通信方法を変更するＨＳＤＰＡ（High Speed Downlink Packet Access）やＭｅｄｉａＦＬＯ（Forward Link Only）等の方法がある。しかし、Ｔｏｕｃｈ＆Ｍｏｖｅ通信のように通信可能時間（接続期間）が極めて短い通信では、接続期間中に通信レートや通信方式を変更する方法は向いていない。そのため、Ｔｏｕｃｈ＆Ｍｏｖｅ通信では、送信部は固定の変調方式しか備えず伝送レートを変えられないシステムを想定している。
【０００８】
また、特許文献１には、電界強度に応じて送信電力を制御し、通信距離を拡大させる技術が開示されている。
【特許文献１】特開２００２−１７００８２号公報
【発明の開示】
【発明が解決しようとする課題】
【０００９】
しかしながら、Ｔｏｕｃｈ＆Ｍｏｖｅ通信では、送受信を行うエリアが極めて限られているので、上記の方法のように送信電力を制御するだけでは、単純に通信距離を拡大することが難しい。
【００１０】
また、ＡＣＫ（ACKnowledgment）、ＮＡＣＫ（Negative ACKnowledgment）等を用いて受信できなかったデータを再送する再送フロー制御では、接続期間が短いため非効率であり、最終的に全データを送りきれない場合がある。
【００１１】
本発明はかかる点に鑑みてなされたものであり、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができる送信装置及び送信方法を提供することを目的とする。
【課題を解決するための手段】
【００１２】
本発明に係る送信装置は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、前記転送手段から転送される前記コンテンツデータを送信する送信手段と、を具備する構成を採る。
【００１３】
この構成によれば、送信装置が非接触自動改札機や非接触ゲート装置に設けられ、通信相手と送信装置との伝搬環境が、通信開始直後に最も悪く、通信相手の移動に伴い徐々に良くなり、通信相手が送信装置から遠ざかっていくに伴い再び徐々に悪化していくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。
【発明の効果】
【００１４】
本発明によれば、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができる。
【発明を実施するための最良の形態】
【００１５】
図２は、本発明の実施の形態に係る通信システムの構成の一例を示す図である。通信システムは、アクセスポイント１００と、端末装置２００とを備えて構成される。端末装置２００は、例えば音声再生機能や画像再生機能などを備えた携帯電話及びＰＤＡ等の利用者が携帯して使用する装置である。アクセスポイント１００は、例えば電車、地下鉄等の公共交通機関に設けられた非接触自動改札機や、博物館及びアミューズメント施設等に設けられた非接触ゲート装置に備えられるものである。アクセスポイント１００は、近距離無線通信を用いて、音楽や映画などのコンテンツを、アクセスポイント１００を通過移動する端末装置２００にダウンロードさせる。
【００１６】
なお、本実施の形態では、図２に示すように、端末装置２００が、水平面上でアクセスポイント１００の一端から他端へ一次元的に移動しながら、Ｔｏｕｃｈ＆Ｍｏｖｅ通信により、アクセスポイント１００と近距離無線通信を行う場合を想定する。
【００１７】
アクセスポイント１００が設けられる非接触自動改札機や非接触ゲート装置では、図２に示すように、非接触自動改札機や非接触ゲート装置を同一方向に所定間隔で並列に配置することにより、端末装置２００の水平面上での移動方向に上記のような制限を設けることが可能となる。
【００１８】
（実施の形態１）
図３は、本実施の形態１に係るアクセスポイント１００の要部構成を示すブロック図である。図３のアクセスポイント１００は、受信アンテナ１１０、受信部１２０、記憶部１３０、制御部１４０、送信部１５０、及び送信アンテナ１６０を備えて構成される。
【００１９】
受信部１２０は、受信アンテナ１１０を介して、端末装置２００から送信される信号を受信し、得られた受信データを制御部１４０に出力する。
【００２０】
記憶部１３０は、端末装置２００に転送するためのコンテンツデータを格納する。
【００２１】
制御部１４０は、受信部１２０及び送信部１５０に対し送受信制御を行う。また、制御部１４０は、データ分類部１４２及び送信データ転送部１４１を備える。
【００２２】
データ分類部１４２は、コンテンツデータの重要度、プライオリティ、又は、必ず転送したいデータか否か等に応じて、高重要度、高プライオリティ、又は高必要度の第１のコ
ンテンツデータと、当該第１のコンテンツデータよりも転送の失敗が許容される低重要度、低プライオリティ、又は低必要度の第２のコンテンツデータとに分類して、記憶部１３０に格納する。つまり、データ分類部１４２は、端末装置２００に転送するためのコンテンツデータを、必ず転送したい第１のコンテンツデータと、第１のコンテンツデータよりも転送の失敗が許される第２のコンテンツデータとに分類する。なお、コンテンツデータの分類の方法については、後述する。
【００２３】
送信データ転送部１４１は、分類されたコンテンツデータを選択して、送信部１５０に転送する。具体的には、送信データ転送部１４１は、通信確立時点に近い方から、第２のコンテンツデータ、第１のコンテンツデータ、第２のコンテンツデータの順に転送する。送信データ転送処理については、後述する。
【００２４】
送信部１５０は、送信データ転送部１４１によって選択された送信データに対し、無線送信処理（変調、アップコンバート等）を施し、送信アンテナ１６０を介して、得られた送信データ信号を端末装置２００に送信する。
【００２５】
図４は、本実施の形態１に係る端末装置２００の要部構成を示すブロック図である。図４の端末装置２００は、受信アンテナ２１０、受信部２２０、制御部２３０、記憶部２４０、ユーザインターフェース部２５０、送信部２６０、及び送信アンテナ２７０を備えて構成される。
【００２６】
受信部２２０は、受信アンテナ２１０を介してアクセスポイント１００から送信されるデータ信号を受信し、受信データを取得し、得られた受信データを制御部２３０に出力する。
【００２７】
制御部２３０は、コンテンツデータなどの受信データを記憶部２４０に出力する。記憶部２４０は、受信データを保持する。
【００２８】
ユーザインターフェース部２５０は、表示部２５１、操作部２５２、又は音声出力部２５３等のユーザインターフェース機能部を備える。
【００２９】
送信部２６０は、送信アンテナ２７０を介して伝搬環境測定用信号等の信号をアクセスポイント１００に送信する。
【００３０】
以下、上述のように構成されたアクセスポイント１００及び端末装置２００の動作について説明する。
【００３１】
（全体動作）
本実施の形態では、図２に示すように、アクセスポイント１００が、非接触自動改札機や非接触ゲート装置に設けられ、端末装置２００が、水平面上でアクセスポイント１００の一端から他端へ移動する間に、アクセスポイント１００から端末装置２００にコンテンツデータ等のデータが送信される場合を想定している。
【００３２】
アクセスポイント１００は、常時、ビーコン信号を送信する。端末装置２００は、アクセスポイント１００に接近してビーコン信号を受信すると、同期検出を行う。同期検出により、同期が確立されると、アクセスポイント１００と端末装置２００とは相互に情報交換を行い、１対１通信の確立（リンク確立）を試みる。リンクが確立されると、アクセスポイント１００は、端末装置２００へのコンテンツデータの転送を開始する。データ転送が終了すると、アクセスポイント１００は、端末装置２００とのリンクを切断する。
【００３３】
（送信データ転送処理）
次に、アクセスポイント１００の送信データ転送部１４１の送信データ転送処理について図面を参照しながら説明する。
【００３４】
図５は、図１と同様に、アクセスポイント１００の中央部に送信アンテナ１６０が設けられている場合の伝搬環境の状態を示している。図５Ａは、アクセスポイント１００に対する端末装置２００の垂直面上の移動方向と、各エリアでの伝搬環境の状態を示している。図５Ｂは、図５Ａで示した伝搬環境の状態を移動方向上に示した図である。また、図５Ｃは、通信システムの状態の遷移を示す図である。図５Ｃに示すように、本実施の形態に係る通信システムは、同期検出後、リンクを確立し、データ転送を行い、リンクを切断する。
【００３５】
図５から分かるように、本実施の形態に係る通信システムでは、アクセスポイント１００から端末装置２００にデータが転送される間、伝搬環境は一定ではなく、伝搬環境は、アクセスポイント１００の送信アンテナ１６０から離れるほど悪く、送信アンテナ１６０に接近するほど良好となる。したがって、伝搬環境は、通信開始直後が最も悪く、以後、徐々に良くなり、再び徐々に劣化する。
【００３６】
本実施の形態では、伝搬環境が上述のように変化することを前提に、送信データ転送部１４１は、送信データを送信部１５０に転送する。以下、図６を用いて送信データ転送順序について説明する。
【００３７】
記憶部１３０には、端末装置２００に転送したいコンテンツデータが、コンテンツデータの重要度、プライオリティ、又は、必ず転送したいデータか否か等に応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類して格納されている。
【００３８】
図６は、コンテンツデータの分類の一例を示している。図６は、Ｉｎｄｅｘ、動画、テキストが、高プライオリティの第１のコンテンツデータとして分類され、静止画、音楽、音声が、低プライオリティの第２のコンテンツデータとして分類されている例である。
【００３９】
送信データ転送部１４１は、通信開始から、第２のコンテンツデータ、第１のコンテンツデータ、第２のコンテンツデータの順に、コンテンツデータを選択する。例えば、図６に示す例では、送信データ転送部１４１は、第２のコンテンツデータとして静止画を選択し、第１のコンテンツデータとしてＩＮＤＥＸ、動画、及びテキストを選択し、第２のコンテンツデータとして音楽及び音声を選択する。
【００４０】
このようにすることで、伝搬環境が良いところで、高重要度、高プライオリティ、又は高必要度の第１のコンテンツデータが送信されるようになり、伝搬環境が悪いところで、当該第１のコンテンツデータよりも転送の失敗が許容される低重要度、低プライオリティ、又は低必要度の第２のコンテンツデータが送信されるようになる。これにより、端末装置２００が、確実に転送したいデータを正しく受信することができる割合が高くなり、ユーザ満足度の低下を抑圧することができる。
【００４１】
送信データ選択順序について、図７及び図８を用いて補足説明をする。図７Ａは、横軸を時間とした場合の通信システムの状態の遷移を示す図である。図７Ａに示すように、本実施の形態に係る通信システムは、同期検出後、リンクを確立し、データ転送を行い、リンクを切断する。また、図７Ａにおいて、Ｐは、アクセスポイント１００が端末装置２００へデータ転送可能なデータ転送時間の上限値（コンテンツ転送期間）を示している。ま
た、同図において、Ｐ１は、伝搬環境が良好になるまでのデータ転送時間（安定待ち送信期間）を示し、Ｐ２は、伝搬環境が比較的良好なデータ転送時間（安定送信期間）を示す。また、Ｐ３は、コンテンツ転送期間Ｐのうち、安定待ち送信期間Ｐ１又は安定送信期間Ｐ２以外の期間を示す。
【００４２】
送信データ転送部１４１は、図７に示すように、コンテンツ転送期間Ｐを、通信確立時点に近い方から順に第１、第２及び第３の転送期間、すなわち、Ｐ１、Ｐ２及びＰ３に分ける。
【００４３】
図８は、送信データ転送部１４１における送信データ転送処理を示すフローチャートである。図中、ＳＴはフローの各ステップを示す。
【００４４】
ＳＴ１０１で、記憶部１３０に格納されるコンテンツデータの全データ転送時間ａが算出され、ＳＴ１０２で、全データ転送時間ａとコンテンツ転送期間Ｐとが比較され、ａ＞Ｐの場合、通信期間内において全コンテンツデータを送信できないとして、送信データ転送部１４１はエラー終了する（ＳＴ１０３）。一方、ａ≦Ｐの場合、高重要度、高プライオリティ、又は高必要度の第１のコンテンツデータのデータ転送時間ｂが算出される（ＳＴ１０４）。
【００４５】
次に、ＳＴ１０５で、第１のコンテンツデータのデータ転送時間ｂと安定送信期間Ｐ２とが比較され、ｂ＞Ｐ２の場合、安定送信期間Ｐ２に対し、第１のコンテンツデータのデータ率が大きいという旨の警告が出される（ＳＴ１０６）。次に、安定待ち送信期間Ｐ１では、Ｐ１に転送しきれるような第２のコンテンツデータ、又は第２のコンテンツデータの組み合わせが選択される（ＳＴ１０７）。
【００４６】
ＳＴ１０７で、安定待ち送信期間Ｐ１に第２のコンテンツデータが配置されると、ＳＴ１０８及びＳＴ１０９で、全ての第１のコンテンツデータが選択される。これにより、安定送信期間Ｐ２で、端末装置２００に第１のコンテンツデータが転送されるようになる。
【００４７】
第１のコンテンツデータが全て転送されると、ＳＴ１１０及びＳＴ１１１で、残りの第２のコンテンツデータが選択される。これにより、高重要度、高プライオリティ、又は、高必要度の第１のコンテンツデータは、安定送信期間Ｐ２で送信され、それ以降の安定送信期間Ｐ２又はコンテンツデータ転送期間Ｐにおいて、低重要度、低プライオリティ、又は、低必要度の第２のコンテンツデータが送信されることになる。
【００４８】
図７Ｂに、第１、第２及び第３の転送期間Ｐ１、Ｐ２及びＰ３に転送されるコンテンツデータの配置例を示す。
【００４９】
以上のように、本実施の形態では、端末装置２００へ送信するコンテンツデータは、重要度、プライオリティに応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類され、送信データ転送部１４１は、コンテンツ転送期間Ｐを、通信確立時点に近い方から順に第１、第２及び第３の転送期間（Ｐ１、Ｐ２、Ｐ３）に分け、第１の転送期間Ｐ１では、第２のコンテンツデータを転送し、第２の転送期間Ｐ２では、第１のコンテンツデータから優先的に転送し、第３の転送期間Ｐ３では、第１および第２の転送期間Ｐ１およびＰ２で転送しきれなかったコンテンツデータを転送するようにした。
【００５０】
これにより、コンテンツ転送期間を、伝搬環境が普通の安定待ち送信期間と、伝搬環境が良好な安定送信期間と、コンテンツ転送期間のうち、安定待ち送信期間又は安定送信期
間以外の期間との３つの転送期間に分けた場合、伝搬環境が普通の第１の転送期間及び第３の転送期間では、低重要度、低プライオリティ、又は低必要度の第２のコンテンツデータが送信され、伝搬環境が良好な第２の転送期間では、当該第２のコンテンツデータよりも転送の失敗が許容されない高重要度、高プライオリティ、又は高必要度の第１のコンテンツデータが送信されるようになるので、必ず転送したい第１のコンテンツデータが端末装置２００で正しく受信される割合が高くなる。この結果、端末装置２００が、記憶部１３０に格納される全てのコンテンツデータを正しく受信できないような場合においても、端末装置２００を利用するユーザの満足度の低下を回避しやすくすることができる。
【００５１】
なお、以下にコンテンツデータの分類例について補足説明する。
【００５２】
（１）テキスト表示コンテンツ（図９Ａ，図９Ｂ参照）
テキスト表示コンテンツでは、テキスト情報やニュースのヘッドラインや要約は、高重要度、高プライオリティ、又は、高必要度の第１のコンテンツデータに分類され、図や装飾等の見栄えに関わる情報やニュースの詳細記事内容は、低重要度、低プライオリティ、又は、低必要度の第２のコンテンツデータに分類される。
【００５３】
（２）楽曲コンテンツ（図９Ｃ参照）
楽曲コンテンツでは、インデックスや楽曲データについては、第１のコンテンツデータに分類され、解説などのテキストデータや画像データについては、第２のコンテンツデータに分類される。
【００５４】
（３）画像コンテンツ
画像コンテンツでは、粗い画素数の全体像イメージについて、第１のコンテンツデータに分類され、画素数の多い鮮明な画像について、第２のコンテンツデータに分類される。
【００５５】
なお、分類の仕方は、上述した分類の仕方に限られない。例えば、アクセスポイント１００が、博物館及びアミューズメント施設等の特別展示場に設けられた非接触ゲート装置に備えられる場合には、特別展示場の催しの詳細内容が、第１のコンテンツデータに分類されるようにしても良い。このように、分類方法は、アクセスポイント１００の設置場所や使用状況によって異なり、高重要度、高プライオリティ、又は高必要度の第１のコンテンツデータは、記憶部１３０に格納されたコンテンツデータのうち、失敗なく端末装置２００に確実に転送したい順位が高いデータを表す。
【００５６】
なお、上述した説明では、コンテンツデータを、高重要度、高プライオリティ、又は高必要度の第１のコンテンツデータと、低重要度、低プライオリティ、又は低必要度の第２のコンテンツデータとの２つに分類する場合について説明したが、分類の段階は２段階に限られず、３つ以上の段階に詳細に分類するようにしてもよい。
【００５７】
（実施の形態２）
図１０に本実施の形態２に係るアクセスポイントの要部構成を示す。なお、図１０の本実施の形態に係るアクセスポイントにおいて、図３と共通する構成部分には、図３と同一の符号を付して説明を省略する。図１０のアクセスポイント３００は、図３のアクセスポイント１００に対して、制御部１４０に代えて、制御部３１０を備えて構成される。
【００５８】
制御部３１０は、データ分類部１４２、通信状態判定部３１１及び送信データ転送部３１２を備える。通信状態判定部３１１は、後述の端末装置４００から送信される伝搬環境測定用信号の受信電界強度（ＲＳＳＩ：Received Signal Strength Indicator）及び受信電界強度の変化方向を測定し、通信状態を判定する。
【００５９】
送信データ転送部３１２は、通信状態判定部３１１によって判定された受信電界強度と所定の安定基準値との比較結果に応じて、上述した第１、第２又は第３の転送期間（Ｐ１，Ｐ２，Ｐ３）を適宜判別する。さらに、送信データ転送部３１２は、受信電界強度が所定の安定基準値に満たさない場合において、受信電界強度が良化する傾向にあれば、第２のコンテンツデータを優先的に選択して、送信部１５０に転送する。また、送信データ転送部３１２は、受信電界強度が所定の安定基準値を満たす場合には、第１のコンテンツデータを優先的に選択して送信部１５０に出力する。さらに、送信データ転送部３１２は、受信電界強度が所定の安定基準値に満たさない場合において、受信電界強度が悪化する傾向にあれば、未送信の第１のコンテンツデータを優先的に選択して送信部１５０に転送する。
【００６０】
上述したように、本実施の形態が適用される通信システムの伝搬環境は、通信開始直後が最も悪く、端末装置４００が送信アンテナ１６０に接近するのに伴い徐々に良くなっていく。したがって、伝搬環境が所定の安定基準値に満たさない場合に、伝搬環境が良くなっていく傾向にあれば、現時点の伝搬環境に比べ、以降の伝搬環境の方がより良くなるであろうと推定できる。そこで、本実施の形態では、送信データ転送部３１２は、伝搬環境が所定の安定基準値に満たさない場合において、伝搬環境が良化する傾向にあれば、第１の転送期間Ｐ１であるとして、低重要度、低プライオリティ、又は低必要度の第２のコンテンツデータを選択して、送信部１５０に転送するようにした。これにより、安定待ち送信期間が変動するような場合においても、当該安定待ち送信期間を第１の転送期間Ｐ１として、当該期間では、必ず転送したい第１のコンテンツデータができるだけ送信されないようにし、伝搬環境が良好な期間で、第１のコンテンツデータが送信されるようにすることができるので、必ず転送したいデータが端末装置４００へより確実に伝達される割合が高くなる。
【００６１】
また、伝搬環境が所定の安定基準値に満たさない場合において、伝搬環境が悪くなっていく傾向にあれば、現時点の伝搬環境の方が以降の伝搬環境よりも良いであろうと推定できる。そこで、本実施の形態では、送信データ転送部３１２は、伝搬環境が所定の安定基準値に満たさない場合において、伝搬環境が悪化する傾向にあれば、第３の転送期間Ｐ３であるとして、未送信の高重要度、高プライオリティ、又は高必要度の第１のコンテンツデータを優先的に選択して、送信部１５０に転送するようにした。これにより、安定送信期間内に必ず転送したい第１のコンテンツデータを転送しきれないような場合においても、伝搬環境がさらに劣化する前に、優先的に第１のコンテンツデータが送信されるようになるので、必ず転送したいデータが端末装置４００へより確実に伝達される割合が高くなる。
【００６２】
なお、送信データ転送部３１２は、伝搬環境が所定の安定基準値を満たす場合には、第２の転送期間Ｐ２であるとして高重要度、高プライオリティ、又は高必要度の第１のコンテンツデータを優先的に選択して、送信部１５０に転送する。
【００６３】
このように、送信データ転送部３１２は、受信電界強度が所定の安定基準値未満で、かつ、受信電界強度が良化傾向の場合、第１の転送期間Ｐ１であるとして、第２のコンテンツデータを転送する。また、送信データ転送部３１２は、受信電界強度が所定の安定基準以上の場合、第２の転送期間であるとして、第１のコンテンツデータを転送する。さらに、送信データ転送部３１２は、受信電界強度が所定の安定基準値未満で、かつ、受信電界強度が悪化傾向の場合、未送信の第１のコンテンツデータがあれば、第３の転送期間Ｐ３であるとして、未送信の第１のコンテンツデータを転送する。
【００６４】
図１１に、本実施の形態に係る端末装置の要部構成を示す。なお、図１１の本実施の形態に係るアクセスポイントにおいて、図４と共通する構成部分には、図４と同一の符号を
付して説明を省略する。図１１の端末装置４００は、図４の端末装置２００に対して、制御部２３０に代えて、制御部４１０を備えて構成される。
【００６５】
制御部４１０は、コンテンツデータなどの受信データを記憶部２４０に出力する。また、制御部４１０は、伝搬環境測定用信号送出部４１１を備え、伝搬環境測定用信号送出部４１１は、伝搬環境測定用信号を生成し、送信部２６０に出力する。
【００６６】
以下、上述のように構成されたアクセスポイント３００及び端末装置４００の動作について、主にアクセスポイント３００の送信データ転送部３１２の送信データ転送処理を中心に説明する。
【００６７】
（送信データ転送処理）
図１２は、送信データ転送部３１２における送信データ転送処理を示すフローチャートである。図中、ＳＴはフローの各ステップを示す。
【００６８】
ＳＴ２０１で、通信状態判定部３１１によって測定された受信電界強度ＲＳＳＩが、所定の安定基準値を満たすか否かが判定され、ＲＳＳＩが所定の安定基準値以上の場合、ＳＴ２０２に移り、ＲＳＳＩが所定の安定基準値未満の場合、ＳＴ２０５に移る。
【００６９】
ＳＴ２０２では、未送信の第１のコンテンツデータの有無が判定され、未送信の第１のコンテンツデータが有る場合、第１のコンテンツデータが選択される（ＳＴ２０３）。一方、未送信の第１のコンテンツデータが無い場合、第２のコンテンツデータが選択される（ＳＴ２０４）。
【００７０】
ＳＴ２０１で、ＲＳＳＩが所定の安定基準値未満の場合、ＳＴ２０５で、ＲＳＳＩの変化傾向が増加傾向又は減少傾向のどちらであるかが判定され、増加傾向の場合、ＳＴ２０６に移り、減少傾向の場合、ＳＴ２０２に移る。
【００７１】
ＳＴ２０６では、未送信の第２のコンテンツデータの有無が判定され、未送信の第２のコンテンツデータが有る場合、第２のコンテンツデータが選択される（ＳＴ２０７）。一方、未送信の第２のコンテンツデータが無い場合、第１のコンテンツデータが選択される（ＳＴ２０８）。
【００７２】
ＳＴ２０３，ＳＴ２０４，ＳＴ２０７，ＳＴ２０８で選択されたコンテンツデータが送信されると（ＳＴ２０９）、ＳＴ２１０で送信完了か否か判定される。送信完了の場合、ＳＴ２１１で未送信コンテンツデータの有無が判定され、未送信コンテンツデータが有ればＳＴ２０１に戻り、ＳＴ２０２〜ＳＴ２１１までのステップが未送信コンテンツデータが無くなるまで繰り返される。
【００７３】
図１３は、受信電界強度ＲＳＳＩ及びＲＳＳＩの変化方向と、コンテンツデータの送信順との対応関係を示す図である。
【００７４】
ＲＳＳＩが所定の安定基準値未満で、かつ、ＲＳＳＩの変化方向が増加傾向の場合、送信データ転送部３１２は、低重要度、低プライオリティ、又は低必要度の第２のコンテンツデータを優先的に選択するため、データは、第２のコンテンツデータ、第１のコンテンツデータの順に送信される（状態１）。
【００７５】
一方、ＲＳＳＩが所定の安定基準値以上で、かつ、ＲＳＳＩの変化方向が増加傾向の場合、送信データ転送部３１２は、高重要度、高プライオリティ、又は高必要度の第１のコンテンツデータを優先的に選択するため、データは、第１のコンテンツデータ、第２のコ
ンテンツデータの順に送信される（状態２）。
【００７６】
ＲＳＳＩが所定の安定基準値以上で、かつ、ＲＳＳＩの変化方向が減少傾向の場合、又は、ＲＳＳＩが所定の安定基準値未満で、かつ、ＲＳＳＩの変化方向が減少傾向の場合も、状態２と同様に、送信データ転送部３１２は、高重要度、高プライオリティ、又は高必要度の第１のコンテンツデータを優先的に選択するため、データは、第１のコンテンツデータ、第２のコンテンツデータの順に送信される（状態３、状態４）。
【００７７】
以上のように、本実施の形態では、アクセスポイント３００は、端末装置４００から送信される伝搬環境測定用信号を受信して、伝搬環境を取得する通信状態判定部３１１を備え、送信データ転送部３１２は、通信状態判定部３１１によって取得された受信電界強度と所定の安定基準値との比較結果に応じて、前記第１、第２又は第３の転送期間を判別するようにした。これにより、端末装置４００の移動速度が変動する場合においても、コンテンツ転送期間Ｐを、安定待ち送信期間と、安定送信期間と、それ以外の期間とに分けることができる。
【００７８】
また、伝搬環境が所定値未満で、かつ、伝搬環境が良化傾向の場合、低重要度、低プライオリティ、又は低必要度の第２のコンテンツデータが優先的に選択されるようにすると、端末装置４００の移動速度が変動し、安定待ち送信期間が変動する場合においても、当該安定待ち送信期間を第１の転送期間Ｐ１として、当該期間では、必ず転送したい第１のコンテンツデータができるだけ送信されないようにし、伝搬環境が良好な期間で、第１のコンテンツデータが送信されるようにすることができるので、必ず転送したいデータが端末装置４００へより確実に伝達される割合を高くすることができる。
【００７９】
また、伝搬環境が所定値以上の場合、又は、伝搬環境が悪化傾向の場合、送信データ転送部１４１が、第１のコンテンツデータを優先的に選択するようにすると、安定送信期間内に必ず転送したい第１のコンテンツデータを転送しきれないような場合においても、伝搬環境がさらに劣化する前に、優先的に第１のコンテンツデータが送信されるようになるので、端末装置４００に必ず転送したい第１のコンテンツデータを確実に転送することができる割合を高くすることができる。
【００８０】
また、同一段階に分類されたコンテンツデータが複数ある場合には、送信データ転送部１４１は、各コンテンツデータのデータサイズに基づいて、コンテンツデータを選択し、送信部１５０に転送するようにしてもよい。例えば、伝搬環境が悪化傾向にある場合、データサイズが小さいコンテンツデータを選択・転送するようにすることで、コンテンツデータ送信中にリンク接続が切れて発生するデータ転送エラーの影響をできるだけ回避することができる。反対に、伝搬環境が良化傾向にある場合は、データサイズが大きいコンテンツデータを選択・転送するようにすることで、データサイズが大きいコンテンツデータを伝搬環境が良い期間中に送信完了させることができる。
【００８１】
また、低重要度、低プライオリティ、又は低必要度の第２のコンテンツデータに、高重要度、高プライオリティ、又は高必要度の第１のコンテンツデータの内容も含むようにして、冗長性を持たせるようにした場合には、伝搬環境が劣悪なままで、端末装置４００が、第２のコンテンツデータのみしか受信できないような場合においても、高重要度、高プライオリティ、又は高必要度の第１のコンテンツデータを取得することができる。
【００８２】
本発明の送信装置の一つの態様は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は
低必要度の第２のコンテンツデータとに分類する分類手段と、コンテンツ転送期間を、通信確立時点に近い方から順に第１、第２及び第３の転送期間に分け、前記第１の転送期間では、前記第２のコンテンツデータを転送し、前記第２の転送期間では、前記第１のコンテンツデータから優先的に転送し、前記第３の転送期間では、前記第１の転送期間及び前記第２の転送期間で転送しきれなかった前記コンテンツデータを転送する転送手段と、前記転送手段から転送される前記コンテンツデータを送信する送信手段と、を具備する構成を採る。
【００８３】
この構成によれば、送信装置が非接触自動改札機や非接触ゲート装置に設けられ、通信相手と送信装置との伝搬環境が、通信開始直後に最も悪く、通信相手の移動に伴い徐々に良くなり、通信相手が送信装置から遠ざかっていくに伴い再び徐々に悪化していくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。
【００８４】
本発明の送信装置の一つの態様は、前記転送手段は、前記第１のコンテンツデータとしてインデックスを転送し、前記第２のコンテンツデータとしてインデックスによって示されるデータを転送する構成を採る。
【００８５】
この構成によれば、楽曲コンテンツのうち、必ず転送したいインデックスを、当該インデックスよりも転送の失敗が許されるデータに比べ良好な伝搬環境で送信することができるので、インデックスが正しく受信されやすくなる。
【００８６】
本発明の送信装置の一つの態様は、前記転送手段は、前記第１のコンテンツデータとして本編を転送し、前記第２のコンテンツデータとして予告編を転送する構成を採る。
【００８７】
この構成によれば、動画コンテンツのうち、必ず転送したい本編を、当該本編よりも転送の失敗が許される予告編に比べ良好な伝搬環境で送信することができるので、本編が正しく受信されやすくなる。
【００８８】
本発明の送信装置の一つの態様は、伝搬環境を取得する取得手段、をさらに具備し、前記転送手段は、伝搬環境及と所定の基準値との比較結果に応じて、前記第１、第２又は第３の転送期間の長さを調整する構成を採る。
【００８９】
この構成によれば、通信相手の移動速度が個々に変動し、伝搬環境の変化の仕方が個々に異なるような場合においても、伝搬環境が良好な期間に、高重要度、高プライオリティ、又は高必要度の第１のコンテンツデータを送信することができる。
【００９０】
本発明の送信装置の一つの態様は、前記転送手段は、伝搬環境が所定値未満で、かつ、伝搬環境が良化傾向の場合、前記第２のコンテンツデータを優先的に転送する構成を採る。
【００９１】
この構成によれば、通信相手の移動速度が個々に変動し、伝搬環境の変化が個々に異なるような場合においても、伝搬環境が良好となるまでは、高重要度、高プライオリティ、又は高必要度の第１のコンテンツデータでなく、低重要度、低プライオリティ、又は低必要度の第２のコンテンツデータが優先的に送信され、第１のコンテンツデータは、伝搬環
境がより良い期間にできるだけ送信されるようになるので、必ず転送したい第１のコンテンツデータを確実に通信相手に転送することができる割合を向上させることができる。
【００９２】
本発明の送信装置の一つの態様は、前記転送手段は、伝搬環境が所定値以上の場合、又は、伝搬環境が悪化傾向の場合、前記第１のコンテンツデータを優先的に転送する構成を採る。
【００９３】
この構成によれば、通信相手の移動速度が個々に変動し、伝搬環境の変化が個々に異なるような場合においても、伝搬環境がさらに悪化する前に、高重要度、高プライオリティ、又は高必要度の第１のコンテンツデータが送信されるようになるので、必ず転送したい第１のコンテンツデータを確実に通信相手に転送することができる割合を向上させることができる。
【００９４】
本発明の送信装置の一つの態様は、移動中の通信相手と近距離無線通信を行う送信装置であって、前記通信相手へ送信するコンテンツデータを、重要度、又はプライオリティ応じて、高重要度、高プライオリティ、又は高必要度の第１のコンテンツデータと、当該第１のコンテンツデータよりも転送の失敗が許容される低重要度、低プライオリティ、又は低必要度の第２のコンテンツデータとに分類する分類手段と、通信確立時点に近い方から、前記第２のコンテンツデータ、前記第１のコンテンツデータの順に転送する転送手段と、前記転送手段から転送される前記コンテンツデータを送信する送信手段と、
を具備する構成を採る。
【００９５】
この構成によれば、送信装置が非接触自動改札機や非接触ゲート装置に設けられ、通信相手と送信装置との伝搬環境が、通信開始直後に最も悪く、通信相手の移動に伴い徐々に良くなっていくような場合に、伝搬環境が良好でない期間に、低重要度、低プライオリティ、又は低必要度の第２のコンテンツデータが送信され、伝搬環境が良好な期間に、当該第２のコンテンツデータよりも転送の失敗が許容されない高重要度、高プライオリティ、又は高必要度の第１のコンテンツデータが送信されるようになるので、通信相手の端末装置が、確実に転送したい第１のコンテンツデータを正しく受信することができる割合が高くなり、通信相手の端末装置が全てのコンテンツデータを正しく受信できないような場合においても、当該端末を利用するユーザ満足度の低下を回避することができる。
【産業上の利用可能性】
【００９６】
本発明は、近距離無線通信において、極めて短い通信時間内に伝搬環境が変動する場合においても、必ず転送したいコンテンツデータを通信相手の端末装置が正しく受信する割合を向上させ、通信相手の端末装置が全てのコンテンツデータを正しく受信できないような場合においても、ユーザの満足度の低下を回避することができ、例えば、非接触自動改札機や非接触ゲート装置などを備える近距離無線通信システムに適用される送信装置及び送信方法などに有用である。
【図面の簡単な説明】
【００９７】
【図１】Ｔｏｕｃｈ＆Ｍｏｖｅ通信の伝搬環境の変化を説明するための図
【図２】本発明の実施の形態に係る通信システムの構成の一例を示す図
【図３】本発明の実施の形態１に係るアクセスポイントの要部構成を示すブロック図
【図４】実施の形態１に係る端末装置の要部構成を示すブロック図
【図５】実施の形態１に係るＴｏｕｃｈ＆Ｍｏｖｅ通信の伝搬環境及び通信システム状態の変化を示す図
【図６】実施の形態１に係るコンテンツデータの分類の一例を示す図
【図７】実施の形態１に係る通信システムの状態の遷移とコンテンツデータとの対応関係を示す図
【図８】実施の形態１に係る送信データ転送部における送信データ転送処理を示すフローチャート図
【図９】実施の形態１に係るコンテンツデータの分類例を示す図
【図１０】本発明の実施の形態２に係るアクセスポイントの要部構成を示すブロック図
【図１１】実施の形態２に係る端末装置の要部構成を示すブロック図
【図１２】実施の形態２に係る送信データ転送部における送信データ転送処理を示すフローチャート図
【図１３】受信電界強度ＲＳＳＩ及びＲＳＳＩの変化方向と、コンテンツデータの送信順との対応関係を示す図
【手続補正３】
【補正対象書類名】図面
【補正対象項目名】全図
【補正方法】変更
【補正の内容】
【図１】
2009016731.tif 000016
【図２】
2009016731.tif 000017
【図３】
2009016731.tif 000018
【図４】
2009016731.tif 000019
【図５】
2009016731.tif 000020
【図６】
2009016731.tif 000021
【図７】
2009016731.tif 000022
【図８】
2009016731.tif 000023
【図９】
2009016731.tif 000024
【図１０】
2009016731.tif 000025
【図１１】
2009016731.tif 000026
【図１２】
2009016731.tif 000027
【図１３】
2009016731.tif 000028
【国際調査報告】
2009016731.tif 000029
2009016731.tif 000030
2009016731.tif 000031
2009016731.tif 000032